(57)【要約】  本発明は、肩ひもを使用せず、肩部分の荷重をフレームと背板に分散させて、リックサック麻痺（ｒｕｃｋｓａｃｋ  ｐａｌｓｙ）などを防止し、重いリュックサックを担っても、正しい姿勢を維持することができるようにしたリュックサックフレーム装置に関し、リュックサックフレーム装置は、相互離隔した状態で連結された背板フレームと、一端部は前記背板フレームに結合され、前記一端部と対向する他端部はユーザの肩を超えて延長し、ユーザの腰の後側に向けて延長する肩フレームと、前記背板フレームの下端にヒンジ結合され、前記下端と対向する上端は前記肩フレームの一部を支持する支持パッドと、前記肩フレームに結合され、前記ユーザの両肩をそれぞれ弾力的に加圧する肩着パッドと、前記肩フレームの前記下端に結合され、前記ユーザの前記腰後方を支持する腰支持部材とを含む。
2016518888.tif 000002
【特許請求の範囲】
【請求項１】
相互離隔した状態で連結された背板フレームと；
一端部が前記背板フレームに結合され、前記一端部と対向する他端部が、ユーザの肩を超えて延長し、ユーザの腰の後側に向けて延長する肩フレームと；
前記背板フレームの下端にヒンジ結合され、前記下端と対向する上端は、前記肩フレームの一部を支持する支持パッドと；
前記肩フレームに結合され、前記ユーザの両肩をそれぞれ弾力的に加圧する肩着パッドと；
前記肩フレームの前記下端に結合され、前記ユーザの前記腰の後方を支持する腰支持部材とを含むリュックサックフレーム装置。
【請求項２】
一端部が、前記支持パッドに結合され、前記一端部と対向する他端部が、前記背板フレームに結合された緩衝部材をさらに含むことを特徴とする請求項１に記載のリュックサックフレーム装置。
【請求項３】
前記肩フレームは、前記背板フレームにヒンジ結合された第１肩フレーム及び前記第１肩フレームにヒンジ結合された第２肩フレームを含み、前記第２肩フレームには、前記腰支持部材が結合されることを特徴とする請求項１に記載のリュックサックフレーム装置。
【請求項４】
前記支持パッドは、前記背板フレームに結合された第１支持パッド部及び前記第１支持パッドのうち前記ユーザの背中と接触する部分に形成され、クッション感を与える第２支持パッド部を含むことを特徴とする請求項１に記載のリュックサックフレーム装置。
【請求項５】
前記支持パッドは、前記ユーザの左側肩及び左側腰をくるむ左側支持パッド部及び前記ユーザの右側肩及び右側腰をくるむ右側支持パッド部を含み、
前記左側及び右側支持パッド部は、一体に連結され、前記左側及び右側支持パッド部の間は折り畳みされ、折り畳みされる部分は、ユーザの脊椎であることを特徴とする請求項１に記載のリュックサックフレーム装置。
【請求項６】
前記背板フレームにそれぞれ連結された前記肩フレームが広がることを防止するために、前記肩フレームにはロックフレームが形成されることを特徴とする請求項１に記載のリュックサックフレーム装置。
【請求項７】
前記支持パッドは、前記肩フレームを支持する部分に結合され、前記肩フレームの離脱を防止するために前記肩フレームが挿入される挿入溝が形成されたフレームガイド部材を含み、
前記フレームガイド部材の側面には、補助フレームが挿入される固定ホールが形成されることを特徴とする請求項１に記載のリュックサックフレーム装置。
【請求項８】
前記肩着パッドは、前記肩フレームに結合された弾性部材と、前記弾性部材に結合され、弾力的に前記ユーザの肩に固定させる肩着パッド部とを含むことを特徴とする請求項１に記載のリュックサックフレーム装置。
【請求項９】
前記背板フレームには、複数個に分けられたリュックサックが結合され、前記リュックサックは、前記背板フレームに対して回動することを特徴とする請求項１に記載のリュックサックフレーム装置。
【請求項１０】
前記リュックサックが前記背板フレームに対して回動させた状態でリュックサックの間の空間には、他のリュックサックが挿入されることを特徴とする請求項９に記載のリュックサックフレーム装置。
【請求項１１】
前記背板フレームには第１ヒンジ部が形成され、前記支持パッドには前記第１ヒンジ部とヒンジ結合される第２ヒンジ部が形成されることを特徴とする請求項１に記載のリュックサックフレーム装置。
【請求項１２】
前記支持パッドは、ユーザの背中を支持する背板パッド及び前記ユーザの肩を支持する肩パッドを含むことを特徴とする請求項１に記載のリュックサックフレーム装置。
【請求項１３】
前記肩フレームは、前記肩フレームに対して折り畳みされる把持部を含むことを特徴とする請求項１に記載のリュックサックフレーム装置。
【請求項１４】
前記支持パッドは、内部に収納空間が形成され、内部に係止突起が突出する肩フレームロック装置を含み、
前記肩フレームの端部には、前記肩フレームロック装置の収納空間に挿入され、前記係止突起に係止して固定される係止フックが形成されることを特徴とする請求項１に記載のリュックサックフレーム装置。
【発明の詳細な説明】
【技術分野】
【０００１】
本発明は、リュックサックフレーム装置に関し、特に肩ひもを使用せず、肩部分の荷重をフレームと背板に分散させて、リックサック麻痺（ｒｕｃｋｓａｃｋ  ｐａｌｓｙ）などを防止し、重いリュックサックを担っても、正しい姿勢を維持することができるようにしたリュックサックフレーム装置に関する。
【背景技術】
【０００２】
一般的に、山登り、旅行などに使用されるリュックサックは、一般的に品物を収納するリュックサック胴体と、リュックサック胴体に付着し、ユーザの肩などにかけられる肩ひもとを含む。
【０００３】
最近、硬い背板に肩ひもを装着し、リュックサック胴体に多い物品を収納しても、背中に大きい荷重が印加されないようにする技術が開発されている。
【０００４】
しかし、リュックサックに重い重量の物品が収納された状態で、肩ひもでリュックサックを担う場合、重い重量が肩ひもに集中し、リックサック麻痺が発生することがあり、重い重量によってユーザが正しくない姿勢に長時間移動して、身体に多い無理が発生する問題点を有する。
【発明の概要】
【発明が解決しようとする課題】
【０００５】
本発明は、肩ひもの代わりに、フレームを利用してリュックサックの重量を分散させてユーザの便宜性を向上させ、リュックサックを使用するユーザの姿勢を正しく校正し、リュックサックの構造を可変して追加的にリュックサックを結合することができるリュックサックフレーム装置を提供する。
【課題を解決するための手段】
【０００６】
一実施形態によるリュックサックフレーム装置は、相互離隔した状態で連結された背板フレームと；一端部が、前記背板フレームに結合され、前記一端部と対向する他端部が、ユーザの肩を超えて延長し、ユーザの腰の後側に向けて延長する肩フレームと；前記背板フレームの下端にヒンジ結合され、前記下端と対向する上端が、前記肩フレームの一部を支持する支持パッドと；前記肩フレームに結合され、前記ユーザの両肩をそれぞれ弾力的に加圧する肩着パッドと；前記肩フレームの前記下端に結合され、前記ユーザの前記腰後方を支持する腰支持部材とを含む。
【０００７】
リュックサックフレーム装置は、一端部が前記支持パッドに結合され、前記一端部と対向する他端部が、前記背板フレームに結合された緩衝部材をさらに含む。
【０００８】
リュックサックフレーム装置の前記肩フレームは、前記背板フレームにヒンジ結合された第１肩フレーム及び前記第１肩フレームにヒンジ結合された第２肩フレームを含み、前記第２肩フレームには、前記腰支持部材が結合される。
【０００９】
リュックサックフレーム装置の前記支持パッドは、前記背板フレームに結合された第１支持パッド部及び前記第１支持パッドのうち前記ユーザの背中と接触する部分に形成され、クッション感を与えるなど第２支持パッド部を含む。
【００１０】
リュックサックフレーム装置の前記支持パッドは、前記ユーザの左側肩及び左側腰をくるむ左側支持パッド部及び前記ユーザの右側肩及び右側腰をくるむ右側支持パッド部を含み、前記左側及び右側支持パッド部は、一体に連結され、前記左側及び右側支持パッド部の間は、折り畳みされ、折り畳みされる部分は、ユーザの脊椎である。
【００１１】
リュックサックフレーム装置の前記背板フレームにそれぞれ連結された前記肩フレームが広がることを防止するために、前記肩フレームには、ロックフレームが形成される。
【００１２】
リュックサックフレーム装置の前記支持パッドは、前記肩フレームを支持する部分に結合され、前記肩フレームの離脱を防止するために、前記肩フレームが挿入される挿入溝が形成されたフレームガイド部材を含み、前記フレームガイド部材の側面には、補助フレームが挿入される固定ホールが形成される。
【００１３】
リュックサックフレーム装置の前記肩着パッドは、前記肩フレームに結合された弾性部材及び前記弾性部材に結合され、弾力的に前記ユーザの肩に固定させる肩着パッド部を含む。
【００１４】
リュックサックフレーム装置の前記背板フレームには、複数個に分けられたリュックサックが結合され、前記リュックサックは、前記背板フレームに対して回動する。
【００１５】
リュックサックフレーム装置の前記リュックサックが前記背板フレームに対して回動させた状態でリュックサック間の空間には、他のリュックサックが挿入される。
【００１６】
リュックサックフレーム装置の前記背板フレームには、第１ヒンジ部が形成され、前記支持パッドには、前記第１ヒンジ部とヒンジ結合される第２ヒンジ部が形成される。
【００１７】
リュックサックフレーム装置の前記背板フレームは、前記ユーザの腰部分から前記ユーザの頭の上方へ延長し、前記背板フレームのうち前記ユーザの頭の上方へ延長する部分は、前方に曲がるように形成される。
【００１８】
リュックサックフレーム装置の前記支持パッドは、ユーザの背中を支持する背板パッド及び前記ユーザの肩を支持する肩パッドを含む。
【００１９】
リュックサックフレーム装置の前記肩フレームは、前記肩フレームに対して折り畳みされる把持部を含む。
【００２０】
リュックサックフレーム装置は、前記支持パッドは、内部に収納空間が形成され、内部に係止突起が突出する肩フレームロック装置を含み、前記肩フレームの端部には、前記肩フレームロック装置の収納空間に挿入され、前記係止突起に係止して固定される係止フックが形成される。
【発明の効果】
【００２１】
本発明によるリュックサックフレーム装置は、肩ひもの代わりに、フレームを利用してリュックサックの重量を分散させてユーザの便宜性を向上させ、リュックサックを使用するユーザの姿勢を正しく校正し、リュックサックの構造を可変して、追加的にリュックサックを結合することができる効果を有する。
【図面の簡単な説明】
【００２２】
【図１】図１は、本発明の一実施形態によるリュックサックフレーム装置の分解斜視図である。
【図２】図２は、図１のリュックサックフレーム装置の断面図である。
【図３】図３は、図１の他の実施形態によるリュックサックフレーム装置の断面図である。
【図４】図４は、図１の「Ａ」部分の拡大図である。
【図５】図５は、図１のリュックサックフレームをユーザが装着した状態を示す側面図である。
【図６】図６は、図１のリュックサックフレームをユーザが装着した状態を示す正面図である。
【図７】図７は、図１のリュックサックフレームをユーザが装着した状態を示す後面図である。
【図８】図８は、本発明の一実施形態による軽量リュックサックフレーム装置の側面断面図である。
【図９】図９は、図８の肩フレーム固定装置の断面図である。
【発明を実施するための形態】
【００２３】
下記の説明では、本発明の実施形態を理解するのに必要な部分だけが説明され、その他の部分の説明は、本発明の要旨を不明にないように省略されるということを留意しなければならない。
【００２４】
以下で説明される本明細書及び請求範囲に使用された用語や単語は、通常的または辞書的な意味に限定して解釈されてはならないし、発明者は、自分の発明を最善の方法で説明するために用語の概念として適切に定義することができるという原則に即して、本発明の技術的思想に符合する意味や概念として解釈されなければならない。したがって、本明細書に記載された実施形態と図面に示された構成は、本発明の好ましい実施形態に過ぎず、本発明の技術的思想をすべて代弁するものではないので、本出願時点においてこれらを代替することができる多様な均等物と変形例があり得ることを理解しなければならない。
【００２５】
図１は、本発明の一実施形態によるリュックサックフレーム装置の分解斜視図である。図２は、図１のリュックサックフレーム装置の断面図である。図３は、図１の他の実施形態によるリュックサックフレーム装置の断面図である。図４は、図１の‘Ａ’部分の拡大図である。図５は、図１のリュックサックフレームをユーザが装着した状態を示す側面図である。図６は、図１のリュックサックフレームをユーザが装着した状態を示す正面図である。図７は、図１のリュックサックフレームをユーザが装着した状態を示す後面図である。
【００２６】
図１〜図７を参照すれば、リュックサックフレーム装置７００は、背板フレーム１００、肩フレーム２００、支持パッド３００、肩着パッド４００及び腰支持部材５００を含む。
【００２７】
背板フレーム１００は、相互離隔した状態で相互連結され、背板フレーム１００は、リュックサックを支持する役目をする。
【００２８】
背板フレーム１００は、第１背板フレーム１１０及び第２背板フレーム１２０を含む。これに加えて、背板フレーム１００は、リュックサック台座１３０をさらに含むことができる。
【００２９】
第１背板フレーム１１０は、例えば、２個で構成され、第１背板フレーム１１０は、例えば、縦方向に形成される。本発明の一実施形態において、第１背板フレーム１１０は、２個で構成されたものが図示及び説明されているが、第１背板フレーム１１０は、少なくとも３個で構成されてもよい。
【００３０】
第１背板フレーム１１０は、ユーザの腰部分から始めて、ユーザの頭の上部に延長する長さで形成され、特に第１背板フレーム１１０のうち頭の上部部分は、前方に曲がる形状に形成されてもよい。
【００３１】
第２背板フレーム１２０は、第１背板フレーム１１０を相互連結する役目をし、第２背板フレーム１２０は、例えば、側方向に形成される。
【００３２】
第２背板フレーム１２０は、例えば、少なくとも１個、好ましくは、複数個よりなることができる。
【００３３】
第１及び第２背板フレーム１１０、１２０を含む背板フレーム１００は、軽くて強度が高いアルミニウム合金または高強度のプラスチック素材で製作することができ、背板フレーム１００は、中が空いたパイプ形状または中身がある棒形状で形成することができる。
【００３４】
リュックサック台座１３０は、背板フレーム１００の第１背板フレーム１１０の下端の外側に結合することができ、リュックサック台座１３０は、背板フレーム１００に対して回動可能に結合される。
【００３５】
リュックサック台座１３０を背板フレーム１００に対して回動可能に結合することによって、リュックサックを装着するときには、リュックサック台座１３０を背板フレーム１００に対して広げてリュックサックを支持し、リュックサックを装着せずに保管するときには、リュックサック台座１３０を背板フレーム１００に向けて折って保管することができる。
【００３６】
肩フレーム２００は、背板フレーム１００及び後述する腰支持部材５００に結合される。
【００３７】
肩フレーム２００は、一端部が背板フレーム１００に結合され、前記一端部と対向する他端部が、ユーザの肩を超えて延長し、ユーザの腰側に向けて延長する。肩フレーム２００の前記他端部は、ユーザの腰の側方または腰の後方に延長することができる。
【００３８】
肩フレーム２００は、軽くて強度が高いアルミニウム合金または高強度のプラスチック素材で製作することができ、肩フレーム２００は、中が空いたパイプ形状または中身がある棒形状で形成することができる。
【００３９】
肩フレーム２００は、第１肩フレーム２１０及び第２肩フレーム２５０を含み、第１及び第２肩フレーム２１０、２５０は、相互ヒンジ結合される。
【００４０】
第１肩フレーム２１０は、一対の背板フレーム１００よりなる第２背板フレーム１２０にそれぞれ結合される。
【００４１】
本発明の一実施形態において、第１肩フレーム２１０は、背板フレーム１２０に結合されたことが図示及び説明されているが、第１肩フレーム２１０は、第１背板フレーム１１０に結合されてもよい。
【００４２】
本発明の一実施形態において、一対の第２背板フレーム１２０にそれぞれ結合された第１肩フレーム２１０は、第２背板フレーム１２０にボール−ヒンジ（ｂａｌｌ−ｈｉｎｇｅ）構造２０５で結合される。
【００４３】
例えば、第２背板フレーム１２０には、凹状のヒンジ溝が形成され、第１肩フレーム２１０には、ヒンジ溝に挿入されるボールが装着されることができる。第２背板フレーム１２０に凹状のヒンジ溝を形成しにくい場合、第２背板フレーム１２０には、凹状のヒンジ溝を有するヒンジブロックを別に装着することができる。
【００４４】
第２背板フレーム１２０及び第１肩フレーム２１０をボール−ヒンジ構造２０５で結合する場合、第１肩フレーム２１０は、ユーザが願う方向に自由に回転することができる。
【００４５】
第２肩フレーム２５０は、第１肩フレーム２１０の端部にヒンジ結合され、第２肩フレーム２５０及び第１肩フレーム２１０には、ボール−ヒンジ構造が形成されてもよい。
【００４６】
例えば、第１肩フレーム２１０の端部には、凹状のヒンジ溝が形成され、第２肩フレーム２５０には、ヒンジ溝に挿入されるボールが装着されてもよい。
【００４７】
第２肩フレーム２５０は、第１肩フレーム２１０の端部にボール−ヒンジ結合されることによって、第２肩フレーム２５０は、第１肩フレーム２１０に対して自由に回転することができる。
【００４８】
第１肩フレーム２１０に結合された第２肩フレーム２５０は、第１肩フレーム２１０から下部に折り曲げられ、ユーザの腰の側方または腰の後方に延長する。
【００４９】
本発明の一実施形態において、第１肩フレーム２１０または第２肩フレーム２５０には、把持部２７０が結合される。
【００５０】
本発明の一実施形態において、把持部２７０は、例えば、肩フレーム２００に結合され、把持部２７０は、肩フレーム２００に対して折れるかまたは広げるために、把持部２７０は、肩フレーム２００とヒンジ結合され、把持部２７０は、着脱式で肩フレーム２００に結合されてもよい。把持部２７０は、第１肩フレーム２１０または第２肩フレーム２５０に結合することができる。
【００５１】
ユーザは、第２肩フレーム２５０にヒンジ結合された把持部２７０を広げることによって、手で把持部２７０を取って歩くことができる。
【００５２】
本発明の一実施形態においては、把持部２７０が第２肩フレーム２５０に結合されたことが図示及び説明されているが、把持部２７０は、第１肩フレーム２５０に結合されてもよい。
【００５３】
一方、第１及び第２肩フレーム２１０、２５０にボール−ヒンジ構造が形成される場合、第１及び第２肩フレーム２１０、２５０が広がることができ、これを防止するために、第１及び第２肩フレーム２１０、２５０には、ロックフレーム２６０が結合されることができる。ロックフレーム２６０は、第１及び第２肩フレーム２１０、２５０にそれぞれ結合され、第１及び第２肩フレーム２１０、２５０を相互ロッキングまたはロッキング解除することができる。
【００５４】
本発明の一実施形態において、肩フレーム２００の第１及び第２肩フレーム２１０、２５０は、ユーザの身体サイズ、例えば、胸囲、肩広さなどを勘案して長さが調節される構造を含むことができる。
【００５５】
支持パッド３００は、ユーザの背中及び肩を支持する役目をし、支持パッド３００は、背板フレーム１００及び肩フレーム２００にそれぞれ結合される。
【００５６】
本発明の一実施形態において、支持パッド３００が背板フレーム１００及び肩フレーム２００にそれぞれ結合されることによって、ユーザが受ける荷重を分散させる。
【００５７】
図１及び図２をさらに参照すれば、支持パッド３００の下端は、背板フレーム１００の第１背板フレーム１１０の下端にヒンジ結合され、第１背板フレーム１１０の下端及び支持パッド３００の下端が相互ヒンジ結合されることによって、支持パッド３００を基準に第１背板フレーム１１０は回動することができる。
【００５８】
支持パッド３００は、第１支持パッド部３１０及び第２支持パッド部３２０を含む。
【００５９】
第１支持パッド部３１０は、背板フレーム１００の第１背板フレーム１１０と結合され、第１支持パッド部３１０は、外力によって変形が発生しない硬い素材で形成される。例えば、第１支持パッド部３１０は、合成樹脂または金属で製造されることができる。第１支持パッド部３１０は、ユーザの左側肩、左側腰、右側肩及び右側腰をくるんで、ユーザの背中を支持する形状に形成される。
【００６０】
第２支持パッド部３２０は、第１支持パッド部３１０と類似な形状で形成され、第２支持パッド部３２０は、第１支持パッド部３１０の内側面に形成される。
【００６１】
第２支持パッド部３２０は、衝撃を吸収するに適したクッション感に優れた素材で形成されることができる。本発明の一実施形態において、第２支持パッド部３２０は、弾性部材または発泡部材を含むことができる。
【００６２】
二重構造よりなる第１及び第２支持パッド部３１０を含む支持パッド３００は、対称形状に形成され、二重構造で形成された支持パッド３００は、平面上で見たとき、左側支持パッド３３０及び右側支持パッド３４０を含む。
【００６３】
左側支持パッド３３０は、ユーザの左側肩、左側背中及び左側腰をくるんで支持し、右側支持パッド３４０は、ユーザの右側肩、右側背中及び右側腰をくるんで支持する。
【００６４】
左側支持パッド３３０の下端及び右側支持パッド３４０の下端には、それぞれ第１ヒンジ部３２５が形成され、第１背板フレーム１１０の下端には、第１ヒンジ部３２５とそれぞれ結合される第２ヒンジ部１１５らが形成される。
【００６５】
例えば、左側及び右側支持パッド３３０、３４０の下端に形成された第１ヒンジ部３２５は、パイプ形状に形成することができ、第１背板フレーム１１０の下端に形成された第２ヒンジ部１１５は、第１ヒンジ部２４５に挟持される軸形状に形成することができる。
【００６６】
なお、左側支持パッド３３０及び右側支持パッド３４０の中央部には、左側及び右側支持パッド３３０、３４０を折り畳み可能にする折り畳み部３５０が形成される。
【００６７】
折り畳み部２５０は、ユーザの背中側の脊椎と対応する部分であり、左側支持パッド３３０は、ユーザの背中側の脊椎を基準として背中の左側と密着し、右側支持パッド３４０は、ユーザの背中側の脊椎を基準として背中の右側と密着する。
【００６８】
支持パッド３００に折り畳み部２５０を形成することによって、支持パッド３００は、左側支持パッド３３０及び右側支持パッド２４０が折り畳み部２５０により支持され、ユーザの背中に支持パッド３００が強く密着されると同時に、後述する肩着パッドがユーザの前方の両肩を強く圧迫することによって、ユーザの歩行姿勢を正しく校正し、腰痛みまたは脊椎損傷を防止または抑制することができる。
【００６９】
左側支持パッド３３０には、ユーザの左側腰を固定する左側腰固定部３３５が形成され、右側支持パッド３４０には、ユーザの右側腰を固定する右側腰固定部２４７が形成される。
【００７０】
本発明の一実施形態において、左側支持パッド３３０のうちユーザの背中及び肩を連結する部分及び右側支持パッド３４０のうちユーザの背中及び肩を連結する部分には、それぞれ、ユーザの背中及び肩部分をやわらかに動くようにする折り畳み部を形成することができる。
【００７１】
本発明の一実施形態において、リュックサックフレーム装置７００は、緩衝部材３６０をさらに含み、緩衝部材３６０は、一端部が支持パッド３００の第１支持パッド部３１０の外側面に連結され、前記一端部と対向する他端部が、背板フレーム１００に結合される。
【００７２】
緩衝部材３６０は、弾性を有する紐形態、コイルスプリングまたは板スプリング形状で形成されることができ、緩衝部材３６０は、支持パッド３００に印加される衝撃または振動を吸収し、衝撃または振動に支持パッド３００に印加されることを防止または抑制する。
【００７３】
緩衝部材３６０は、支持パッド３００に印加された衝撃または振動を吸収する役目だけでなく、背板フレーム１００が支持パッド３００から過度に回転することを防止する。
【００７４】
前述した支持部材３００は、ユーザの肩及びユーザの背中を支持する部分が一体に形成された構造が開示されているが、図３に示されたように、支持部材３００をユーザの背中を支持する背板パッド３８５及びユーザの肩を支持する肩パッド３８７に分割してもよい。
【００７５】
支持部材３００を図３に示されたように背板パッド３８５及び肩パッド３８７に分割する場合、ユーザは、肩が受ける荷重及び背中が受ける荷重がさらに分散し、ユーザの肩及び背中の自由な動きが可能であるという長所を有する。
【００７６】
図４は、図１に示された「Ａ」部分拡大図である。
【００７７】
図１及び図４を参照すれば、支持パッド３００は、フレームガイド部材３６０を含む。
【００７８】
フレームガイド部材３６０は、支持パッド３００の第１支持パッド部３１０の外側面のうち左側肩及び右側肩を支持する部分にそれぞれ形成され、フレームガイド部材３６０は、第１肩フレーム２１０を支持及びガイドする。
【００７９】
フレームガイド部材３６０は、背板フレーム１００にボール−ヒンジ結合された肩フレーム２００の第１肩フレーム２１０が任意に回動することを防止する。
【００８０】
フレームガイド部材３６０は、ブロック形状で形成され、フレームガイド部材３６０は、軽くて高い強度を有する合成樹脂素材にて製作することができる。
【００８１】
ブロック形状を有するフレームガイド部材３６０の下面は、支持パッド３００に固定され、フレームガイド部材３６０の上面には、第１肩フレーム２１０を支持及びガイドするための挿入溝３６５が形成され、挿入溝２６５は、第１肩フレーム２１０が挿入されるに十分な空間を有する。
【００８２】
フレームガイド部材３６０には、第１肩フレーム２１０が載置されるので、リュックサックの荷重をさらに分散させる役目をし、ユーザの疲労度及びユーザの姿勢がねじれることを防止することができる。
【００８３】
フレームガイド部材３６０の外側面には、それぞれ固定ホール３６８が形成され、固定ホール３６８には、補助パウチ（ｐｏｕｃｈ）または補助かばんなどが装着される補助フレーム３７１が形成される。
【００８４】
補助フレーム３７１は、剛性が十分な金属ワイヤなどを少なくとも３回折り曲げた形状で形成され、補助フレーム３７１の両端部は、フレームガイド部材３６０に形成された固定ホール３６８に結合される。
【００８５】
通常、補助フレーム３７１は、ユーザの頭の後方に配置されることができ、ユーザが補助パウチなどを使用するためには、手で補助フレーム３７１を前方へ回転させることができる。
【００８６】
このように補助フレーム３７１に補助パウチを装着する場合、頻繁に使用する物品を補助パウチに収納し、必要時に補助フレーム３７１を回動させて補助パウチを使用することができるので、背板フレーム１００に収納されたリュックサックを開かなくてもよい便利性を提供する。
【００８７】
肩着パッド４００は、肩フレーム２００に結合され、肩着パッド４００は、ユーザの腰及び背中が支持パッド３００に密着された状態でユーザの肩の両方を強く弾力的に圧迫して、ユーザの姿勢を正しく校正する役目をし、長時間リュックサックを着用した状態でユーザの疲労度を大きく減少させる。
【００８８】
肩着パッド４００は、肩フレーム２００の第１肩フレーム２１０または第２肩フレーム２２０に結合されることができ、本発明の一実施形態において肩着パッド４００は、第１肩フレーム２１０に結合される。
【００８９】
肩着パッド４００は、肩着パッド部４１０及び弾性部材４２０を含む。
【００９０】
肩着パッド部４１０は、ユーザの肩の屈曲に沿って接触する曲線パッド形状に形成される。
【００９１】
弾性部材４２０の一端部は、肩着パッド部４１０に結合され、前記一端部と対向する他端部は、肩フレーム２００の第１肩フレーム２１０に結合される。
【００９２】
本発明の一実施形態において、弾性部材４２０は、弾性を発生させるコイルスプリング、板スプリングなど多様な種類が使用されることができ、特に肩着パッド４００は、ユーザの肩を加圧する力をユーザが調節するように弾性調節部材をさらに含むことができる。
【００９３】
図１及び図２をさらに参照すれば、腰支持部材５００は、肩フレーム２００の第２肩フレーム２５０の端部に結合される。
【００９４】
本発明の一実施形態において、腰支持部材５００は、ユーザの腰を支持するに十分な剛性を有する素材で製作され、ユーザの腰サイズによって変形を起こすことができるように多数個のピースを連結して形成することができる。
【００９５】
本発明の一実施形態において、腰支持部材５００は、２個の第２肩フレーム２５０に結合され、腰支持部材５００には、第２肩フレーム２５０を収納することができるポケットが形成されてもよい。
【００９６】
これと異なるように、腰支持部材５００は、２個の第２肩フレーム２５０にそれぞれ結合されるように２個で構成されてもよく、腰支持部材５００には、腰支持部材５００の両端部をロッキングすることができるバックル（ｂｕｃｋｌｅ）が装着されてもよい。
【００９７】
図２をさらに参照すれば、背板フレーム１００に装着されるリュックサック６００は、紐などによって背板フレーム１００に堅固に固定されるようにすることができる。
【００９８】
本発明の一実施形態において、背板フレーム１００には、１つのリュックサック６００が結合されてもよく、好ましくは、背板フレーム１００には、複数個のリュックサック６００が結合されるようにすることができる。
【００９９】
背板フレーム１００に複数個のリュックサック６００が結合される場合、各リュックサック６００の後面の上端は、背板フレーム１００とヒンジ結合されてもよい。
【０１００】
リュックサック６００の後面の上端が背板フレーム１００とヒンジ結合される場合、上部に配置されたリュックサック６０１及び下部に配置されたリュックサック６０２をそれぞれヒンジ６１０を中心に互いに異なる方向に回動させることができる。
【０１０１】
このように上部に配置されたリュックサック６０１及び下部に配置されたリュックサック６０２を背板フレーム１００に対して互いに異なる方向に回動させる場合、背板フレーム１００には、リュックサック６０１、６０２の回動によって空きの空間が形成され、空きの空間には、他のリュックサック６０３が挿入され、挿入されたリュックサックは、背板フレーム１００に固定される。
【０１０２】
このように複数個のリュックサック６０１、６０２を背板フレーム１００に固定し、各リュックサック６０１、６０２を互いに異なる方向に回動させて空間を形成した後、回動したリュックサック６０１、６０２の間に他のリュックサックを挿入することによって、空間及び背板フレーム１００に固定されるリュックサックの配置などを効率的に行うことができる。
【０１０３】
図１〜図７に示されたリュックサックフレーム装置７００は、高山地、トラッキングなど非常に重い重量のリュックサックを固定及び運搬するに適している。
【０１０４】
以下、リュックサックに比較的軽い物品を収納するためのリュックサックフレーム装置を図８及び図９を参照して説明する。
【０１０５】
図８は、本発明の一実施形態による軽量リュックサックフレーム装置の側面断面図である。図９は、図８の肩フレーム固定装置の断面図である。図８及び図９に示された軽量リュックサックフレーム装置８００は、肩フレーム２００及び肩フレームロック装置３７０を除いて、図１〜図７に示されたリュックサックフレーム装置７００と実質的に同一の構成を有する。したがって、同一の構成要素に対する重複された説明は省略し、同一の構成要素については、同一の名称及び同一の参照符号を付与する。
【０１０６】
図８及び図９を参照すれば、リュックサックフレーム装置８００は、背板フレーム１００、肩フレーム２００、支持パッド３００、肩着パッド４００及び肩フレームロック装置３７０を含む。
【０１０７】
背板フレーム１００に結合された一対の肩フレーム２００の第２肩フレーム２５０の端部には、それぞれ複数個の係止フック２５２が形成され、係止フック２５２は、後述する肩フレームロック装置３７０に結合される。
【０１０８】
肩フレームロック装置３７０は、左側支持パッド３３０に形成された左側腰固定部３３５及び右側支持パッド３４０に形成された右側腰固定部３４７にそれぞれ形成または結合される。
【０１０９】
左側腰固定部３３５及び右側腰固定部３４７にそれぞれ形成された肩フレームロック装置３７０は、合成樹脂素材または金属素材で形成されることができ、肩フレームロック装置３７０は、第２肩フレーム２５０の係止フック２５２を収容する筒形状で形成される。
【０１１０】
肩フレームロック装置３７０の内側には、第２肩フレーム２５０に形成された係止フック２５２と結合または結合解除される係止突起３７２が形成される。
【０１１１】
ユーザが第２肩フレーム２５０を引っ張ることによって、第２肩フレーム２５０の下端に形成された係止フック２５２は、肩フレームロック装置３７０の内部に挿入され、係止フック２５２が、肩フレームロック装置３７０に形成された係止突起３７２に結合されることによって、ロッキングされる。
【０１１２】
係止突起３７２及び係止フック２５２がロッキングされることによって、肩着パッド４００は、ユーザの肩を強く密着し、肩着パッド４００がユーザの肩を強く密着することによって、ユーザの背中は、支持パッド３００に密着しながらユーザの脊椎は真っ直ぐに伸びるようになり、これにより、ユーザは、正しい姿勢に歩くことができるようになる。
【０１１３】
本発明の一実施形態においては、係止フック２５２及び係止突起３７２を利用して第２肩フレーム２５０を肩フレームロック装置３７０に結合したものが図示及び説明されているが、これと異なるように多様な結合及び結合解除装置を使用してもよい。
【０１１４】
以上で詳細に説明したものによれば、肩ひもの代わりに、フレームを利用してリュックサックの重量を分散させてユーザの便宜性を向上させ、リュックサックを使用するユーザの姿勢を正しく校正することによって、リュックサックの構造を可変して、追加的にリュックサックを結合することができる効果を有する。
【０１１５】
なお、本図面に開示された実施形態は、理解を助けるために特定例を提示したものに過ぎず、本発明の範囲を限定しようとするものではない。ここに開示された実施形態以外にも、本発明の技術的思想に基づく他の変形例が実施可能であることは、本発明の属する技術分野における通常の知識を有する者に自明である。
【産業上の利用可能性】
【０１１６】
本発明は、荷物を積載することができるリュックサック、リュックサックと結合されるリュックサックフレーム産業分野などに利用されることができる。
【図１】
2016518888.tif 000003
【図２】
2016518888.tif 000004
【図３】
2016518888.tif 000005
【図４】
2016518888.tif 000006
【図５】
2016518888.tif 000007
【図６】
2016518888.tif 000008
【図７】
2016518888.tif 000009
【図８】
2016518888.tif 000010
【図９】
2016518888.tif 000011
【手続補正書】
【提出日】平成27年7月31日(2015.7.31)
【手続補正１】
【補正対象書類名】明細書
【補正対象項目名】００６７
【補正方法】変更
【補正の内容】
【００６７】
折り畳み部３５０は、ユーザの背中側の脊椎と対応する部分であり、左側支持パッド３３０は、ユーザの背中側の脊椎を基準として背中の左側と密着し、右側支持パッド３４０は、ユーザの背中側の脊椎を基準として背中の右側と密着する。
【手続補正２】
【補正対象書類名】明細書
【補正対象項目名】００６８
【補正方法】変更
【補正の内容】
【００６８】
支持パッド３００に折り畳み部３５０を形成することによって、支持パッド３００は、左側支持パッド３３０及び右側支持パッド３４０が折り畳み部３５０により支持され、ユーザの背中に支持パッド３００が強く密着されると同時に、後述する肩着パッドがユーザの前方の両肩を強く圧迫することによって、ユーザの歩行姿勢を正しく校正し、腰痛みまたは脊椎損傷を防止または抑制することができる。
【手続補正３】
【補正対象書類名】明細書
【補正対象項目名】００６９
【補正方法】変更
【補正の内容】
【００６９】
左側支持パッド３３０には、ユーザの左側腰を固定する左側腰固定部３３５が形成され、右側支持パッド３４０には、ユーザの右側腰を固定する右側腰固定部３４７が形成される。
【手続補正４】
【補正対象書類名】明細書
【補正対象項目名】００７２
【補正方法】変更
【補正の内容】
【００７２】
緩衝部材３５５は、弾性を有する紐形態、コイルスプリングまたは板スプリング形状で形成されることができ、緩衝部材３６０は、支持パッド３００に印加される衝撃または振動を吸収し、衝撃または振動に支持パッド３００に印加されることを防止または抑制する。
【手続補正５】
【補正対象書類名】明細書
【補正対象項目名】００７３
【補正方法】変更
【補正の内容】
【００７３】
緩衝部材３５５は、支持パッド３００に印加された衝撃または振動を吸収する役目だけでなく、背板フレーム１００が支持パッド３００から過度に回転することを防止する。
【手続補正６】
【補正対象書類名】図面
【補正対象項目名】図１
【補正方法】変更
【補正の内容】
【図１】
2016518888.tif 000012
【国際調査報告】
2016518888.tif 000013
2016518888.tif 000014
2016518888.tif 000015
2016518888.tif 000016